(57)【要約】【課題】通信停止時間を設けることなく受信性能の向上を図ることが可能な無線通信装置および受信ノイズ除去方法を提供する。【解決手段】受信アンテナにより受信した受信信号を復調して受信データを再生する無線通信装置において、受信信号のエッジ成分を抽出して受信エッジ信号を出力する受信エッジ抽出部１１と、受信エッジ信号からヘッダ成分を検出して検出信号を出力するヘッダ検出部１２と、検出信号により、所望とする信号のエッジが存在する所定間隔ごとにＨレベルとなる時間窓信号の出力を開始する時間窓発生器１３と、時間窓信号がＨレベルの期間中、受信エッジ信号を選択的に出力するスイッチ部１４と、スイッチ部１４から出力されたエッジ信号のエッジがあるごとに出力信号の位相を反転することで波形再生させる波形再生部１７とを備えた。【選択図】図２
2008042727.tif 000002
【特許請求の範囲】
【請求項１】
受信アンテナにより受信した受信信号を復調して受信データを再生する無線通信装置において、
前記受信信号のエッジ成分を抽出して受信エッジ信号を出力する受信エッジ抽出部と、
前記受信エッジ信号からヘッダ成分を検出して検出信号を出力するヘッダ検出部と、
前記検出信号により、所望とする信号のエッジが存在する所定間隔ごとにＨレベルとなる時間窓信号の出力を開始する時間窓発生器と、
前記時間窓信号がＨレベルの期間中、前記受信エッジ信号を選択的に出力するスイッチ部と、
前記スイッチ部から出力されたエッジ信号のエッジがあるごとに出力信号の位相を反転することで波形再生させる波形再生部とを備えたことを特徴とする無線通信装置。
【請求項２】
前記波形再生部は、前記スイッチ部から出力されたエッジ信号に連続する同位相のエッジを検出した場合、エラー検出信号を出力することを特徴とする請求項１記載の無線通信装置。
【請求項３】
前記スイッチ部に擬似的な受信ノイズを出力する擬似雑音発生器と、
前記受信エッジ再生部からの信号から高周波成分を除去するフィルタと、
前記高周波成分が除去された信号のエッジ信号を生成するエッジ判定部とを備え、
前記スイッチ部は、前記時間窓信号がＬレベルである期間に前記擬似的な受信ノイズを出力する機能を備えたことを特徴とする請求項１または２記載の無線通信装置。
【請求項４】
受信アンテナにより受信した受信信号を復調して受信データを再生する無線通信装置の受信ノイズ除去方法において、
前記受信信号のエッジ成分を抽出して受信エッジ信号を出力するステップと、
前記受信エッジ信号からヘッダ成分を検出して検出信号を出力するステップと、
前記検出信号により、所望とする信号のエッジが存在する所定間隔ごとにＨレベルとなる時間窓信号の出力を開始するステップと、
前記時間窓信号がＨレベルの期間中、前記受信エッジ信号を選択的に出力するステップと、
選択的に出力されたエッジ信号のエッジがあるごとに出力信号の位相を反転することで波形再生させるステップとを備えたことを特徴とする受信ノイズ除去方法。
【請求項５】
前記選択的に出力されたエッジ信号に連続する同位相のエッジを検出した場合、エラーとすることを特徴とする請求項４記載の受信ノイズ除去方法。
【請求項６】
前記時間窓信号がＬレベルである期間に擬似的な受信ノイズを、前記選択的に出力されたエッジ信号に付加し、
このエッジ信号から高周波成分を除去した後にエッジ信号を生成し、
このエッジ信号に基づいて波形再生することを特徴とする請求項４または５記載の受信ノイズ除去方法。
【発明の詳細な説明】
【技術分野】
【０００１】
本発明は、無線通信装置における受信ノイズ除去処理技術に関するものである。
【背景技術】
【０００２】
無線通信装置において、他の機器からの干渉信号は受信性能を大きく劣化させることがある。干渉信号と所望の受信信号の搬送波周波数が異なる場合は、フィルタにより容易に干渉信号を取り除くことが可能であるので受信性能への影響は少ない。しかし干渉信号と所望の受信信号の搬送波周波数が同一である場合、フィルタによる分離は困難であり、同一周波数干渉を引き起こし、受信性能を大きく劣化させる。
【０００３】
従来の無線通信装置では、干渉信号検出手段を用いて干渉信号を検出したときには通信を停止させるといった方法が広く採用されている（例えば、特許文献１参照。）。
【特許文献１】特開２００１−３３３０８１号公報
【発明の開示】
【発明が解決しようとする課題】
【０００４】
しかし、従来の無線通信装置では、通信停止時間を設けるため通信速度が低下してしまう。従って、通信速度を低下させずに干渉ノイズを除去して、受信性能の向上を図ることが可能な無線通信装置が望まれている。
【０００５】
そこで本発明は、上記従来の課題に鑑み、通信停止時間を設けることなく受信性能の向上を図ることが可能な無線通信装置および受信ノイズ除去方法を提供することを目的とする。
【課題を解決するための手段】
【０００６】
上記課題を解決するために、本発明の無線通信装置は、受信アンテナにより受信した受信信号を復調して受信データを再生する無線通信装置において、前記受信信号のエッジ成分を抽出して受信エッジ信号を出力する受信エッジ抽出部と、前記受信エッジ信号からヘッダ成分を検出して検出信号を出力するヘッダ検出部と、前記検出信号により、所望とする信号のエッジが存在する所定間隔ごとにＨレベルとなる時間窓信号の出力を開始する時間窓発生器と、前記時間窓信号がＨレベルの期間中、前記受信エッジ信号を選択的に出力するスイッチ部と、前記スイッチ部から出力されたエッジ信号のエッジがあるごとに出力信号の位相を反転することで波形再生させる波形再生部とを備えたことを特徴とする。
【０００７】
また、本発明の受信ノイズ除去方法は、受信アンテナにより受信した受信信号を復調して受信データを再生する無線通信装置の受信ノイズ除去方法において、前記受信信号のエッジ成分を抽出して受信エッジ信号を出力するステップと、前記受信エッジ信号からヘッダ成分を検出して検出信号を出力するステップと、前記検出信号により、所望とする信号のエッジが存在する所定間隔ごとにＨレベルとなる時間窓信号の出力を開始するステップと、前記時間窓信号がＨレベルの期間中、前記受信エッジ信号を選択的に出力するステップと、選択的に出力されたエッジ信号のエッジがあるごとに出力信号の位相を反転することで波形再生させるステップとを備えたことを特徴とする。
【発明の効果】
【０００８】
本発明は、通信停止時間を設けずとも、同一周波数干渉を除去し、所望の受信信号のみを抽出することができる。よって、受信性能の向上を図ることが可能である。
【発明を実施するための最良の形態】
【０００９】
本願の請求項１の発明は、受信アンテナにより受信した受信信号を復調して受信データを再生する無線通信装置において、受信信号のエッジ成分を抽出して受信エッジ信号を出力する受信エッジ抽出部と、受信エッジ信号からヘッダ成分を検出して検出信号を出力するヘッダ検出部と、検出信号により、所望とする信号のエッジが存在する所定間隔ごとにＨレベルとなる時間窓信号の出力を開始する時間窓発生器と、時間窓信号がＨレベルの期間中、受信エッジ信号を選択的に出力するスイッチ部と、スイッチ部から出力されたエッジ信号のエッジがあるごとに出力信号の位相を反転することで波形再生させる波形再生部とを備えたことを特徴としたものである。
【００１０】
この構成により、除去された受信信号のエッジ信号を復活させて所望の受信信号を再生することができる。
【００１１】
本願の請求項２の発明は、請求項１の発明において、波形再生部は、スイッチ部から出力されたエッジ信号に連続する同位相のエッジを検出した場合、エラー検出信号を出力することを特徴とすることを特徴としたものである。
【００１２】
受信信号に干渉ノイズが重畳したタイミングが、時間窓信号のＨレベルの期間中であると、これがエッジとして誤認され、同位相のエッジとなることがある。従って、この場合に波形再生部がエラー検出信号を出力することで、リトライ処理などを行う契機とすることができる。
【００１３】
本願の請求項３の発明は、請求項１または請求項２の発明において、スイッチ部に擬似的な受信ノイズを出力する擬似雑音発生器と、受信エッジ再生部からの信号から高周波成分を除去するフィルタと、高周波成分が除去された信号のエッジ信号を生成するエッジ判定部とを備え、スイッチ部は、時間窓信号がＬレベルである期間に擬似的な受信ノイズを出力する機能を備えたことを特徴としたものである。
【００１４】
スイッチ部により時間窓信号がＨレベルの期間中のみ選択的に受信エッジ信号を出力すると、除去した箇所の包絡線の変動が大きいため、低周波成分をもち、所望の受信信号の周波数帯域と重なってしまうおそれがある。そこで、除去する代わりに擬似的なノイズ信号を付加することで、フィルタによって高周波成分を除いた信号をスムーズな信号波形として出力することができる。
【００１５】
本願の請求項４の発明は、受信アンテナにより受信した受信信号を復調して受信データを再生する無線通信装置の受信ノイズ除去方法において、受信信号のエッジ成分を抽出して受信エッジ信号を出力するステップと、受信エッジ信号からヘッダ成分を検出して検出信号を出力するステップと、検出信号により、所望とする信号のエッジが存在する所定間隔ごとにＨレベルとなる時間窓信号の出力を開始するステップと、時間窓信号がＨレベルの期間中、受信エッジ信号を選択的に出力するステップと、選択的に出力されたエッジ信号のエッジがあるごとに出力信号の位相を反転することで波形再生させるステップとを備えたことを特徴としたものである。
【００１６】
この構成により、除去された受信信号のエッジ信号を復活させて所望の受信信号を再生することができる。
【００１７】
本願の請求項５の発明は、請求項４の発明において、選択的に出力されたエッジ信号に連続する同位相のエッジを検出した場合、エラーとすることを特徴としたものである。
【００１８】
受信信号に干渉ノイズが重畳したタイミングが、時間窓信号のＨレベルの期間中であると、これがエッジとして誤認され、同位相のエッジとなることがある。従って、この場合に波形再生部がエラー検出信号を出力することで、リトライ処理などを行う契機とすることができる。
【００１９】
本願の請求項６の発明は、請求項４または請求項５の発明において、時間窓信号がＬレベルである期間に擬似的な受信ノイズを、選択的に出力されたエッジ信号に付加し、このエッジ信号から高周波成分を除去した後にエッジ信号を生成し、このエッジ信号に基づいて波形再生することを特徴としたものである。
【００２０】
時間窓信号がＨレベルの期間中のみ選択的に受信エッジ信号を出力すると、除去した箇所の包絡線の変動が大きいため、低周波成分をもち、所望の受信信号の周波数帯域と重なってしまうおそれがある。そこで、除去する代わりに擬似的なノイズ信号を付加することで、高周波成分を除いた信号をスムーズな信号波形として出力することができる。
【００２１】
（実施の形態１）
以下に、本発明の実施の形態１に係る無線通信装置について図面に基づいて説明する。図１は、本発明の実施の形態１に係る無線通信装置全体の構成を示す機能ブロック図である。
【００２２】
図１に示すように、無線通信装置１は、送信部２と、パスバンド変調器３と、送信アンテナ４と、受信アンテナ５と、パスバンド復調器６と、受信部７とを備えている。
【００２３】
送信部２は、入力された送信データをパルス成形して送信信号として出力する。パスバンド変調器３は、送信部２から入力された送信信号に変調を施し、パスバンドへ周波数変換する。送信アンテナ４は、パスバンド変調器３から入力された送信信号を電波へ変換し、送信波として出力する。受信アンテナ５は、通信相手から受信した電波すなわち所望の受信波を受信信号として出力する。パスバンド復調器６は、受信アンテナ５から入力された受信信号に復調を施し、ベースバンドへ周波数変換する。受信部７は、パスバンド復調器６から入力された受信信号から干渉信号やノイズなどを除去し、受信データを抽出し、出力する。
【００２４】
次に、受信部７の構成について図２に基づいて詳細に説明する。図２は、実施の形態１の無線通信装置１の受信部７の構成を示す機能ブロック図である。
【００２５】
図２に示すように、受信部７は、受信エッジ抽出部１１と、ヘッダ検出部１２と、時間窓発生器１３と、スイッチ部１４と、ＬＰＦ（Ｌｏｗ  ｆｒｅｑｕｅｎｃｙ  Ｐａｓｓ  Ｆｉｌｔｅｒ）１５と、エッジ判定部１６と、波形再生部１７とを備えている。
【００２６】
受信エッジ抽出部１１は、入力される受信信号のエッジ成分を抽出する。ヘッダ検出部１２は、受信エッジ抽出部１１から入力される受信エッジ信号から所望の受信信号ヘッダ部を検出して、検出信号を時間窓発生器１３へ出力する。時間窓発生器１３は、ヘッダ検出部１２から検出信号が入力されると時間窓信号をスイッチ部１４へ出力する。スイッチ部１４は、受信エッジ信号の出力を制御する。ＬＰＦ１５は、スイッチ部１４から入力される信号の低周波成分のみを通過させるフィルタである。エッジ判定部１６は、ＬＰＦ１５から入力される信号のレベルから、エッジであるかどうかを判定し、エッジ信号を出力する。波形再生部１７は、エッジ判定部１６から入力されるエッジ信号から矩形波形データを再生する。
【００２７】
次に、ヘッダ検出部１２の構成について図３に基づいて説明する。図３は、本発明の実施の形態１に係る無線通信装置のヘッダ検出部１２の構成を示す機能ブロック図である。
【００２８】
ヘッダ検出部１２は、シフトレジスタ部２１と、ヘッダ部エッジデータ格納部２２と、相関値算出部２３と、ヘッダ部検出判定部２４とを備えている。
【００２９】
シフトレジスタ部２１は、ヘッダ部の長さと同じビット数のレジスタであり、受信エッジ信号をデジタル信号として順次格納する。ヘッダ部エッジデータ格納部２２は、あらかじめ通信プロトコルにより規定されているヘッダ部のエッジデータがデジタル信号として格納されている。相関値算出部２３は、シフトレジスタ部２１からのパラレル出力とヘッダ部エッジデータ格納部２２からのパラレル出力とを比較して、その相違の度合いにより相関値を算出する。ヘッダ部検出判定部２４は、入力される相関値からヘッダ部であるか否かを判定する。
【００３０】
以上のように構成される本発明の実施の形態１に係る無線通信装置の受信ノイズ除去方法を、図面に基づいて説明する。図４（ａ）は所望とする受信信号の波形を示す図、同図（ｂ）は干渉信号の波形を示す図、同図（ｃ）はノイズ信号の波形を示す図、同図（ｄ）は受信信号の波形を示す図である。図５（ａ）は受信エッジ信号の波形を示す図、同図（ｂ）は所望の受信信号ヘッダ部のエッジデータの波形を示す図、同図（ｃ）は所望の受信信号ヘッダ部データの波形を示す図である。図６は、ヘッダ部検出判定部２４の動作を説明するフローチャートである。図７（ａ）は受信エッジ信号の波形を示す図、同図（ｂ）は時間窓発生器が発生する時間窓信号を示す図、同図（ｃ）は干渉除去信号波形を示す図である。図８は、スイッチ部１４の動作を説明するフローチャートである。図９（ａ）はＬＰＦ出力信号の波形を示す図であり、同図（ｂ）はエッジ判定部出力信号の波形を示す図であり、同図（ｃ）は波形再生部出力信号の波形を示す図であり、同図（ｄ）はエッジ判定部誤り検出信号の波形を示す図である。図１０は、波形再生部１７の波形再生処理の流れを示すフローチャートである。
【００３１】
無線通信装置１は、図４（ａ）に示される所望とする受信信号波形は、同図（ｂ）に示される干渉信号と、同図（ｃ）に示されるノイズ信号とが重畳して、パスバンド復調器６から受信部７へ入力される受信信号として、同図（ｄ）に示されるような受信信号の波形となることがある。
【００３２】
このような干渉信号とノイズ信号とが重畳した受信信号が受信部７へ入力されると、図２に示す受信エッジ抽出部１１により受信信号からエッジ成分が抽出される。このエッジ成分は、受信エッジ抽出部１１で、ＨＰＦ（Ｈｉｇｈ  ｆｒｅｑｕｅｎｃｙ  Ｐａｓｓ  Ｆｉｌｔｅｒ）により低周波成分の抑圧をしたり、微分処理をしたりして容易に抽出することが可能である。受信信号からエッジ成分を抽出した受信エッジ信号の波形を図５（ａ）に示す。この受信エッジ信号のエッジ成分は、図４（ｂ）に示される干渉信号の立ち上がり、および立ち下がりに同期して大きくなっているのがわかる。これにより時間軸上にて所望の受信信号と干渉信号を分離する。このように受信エッジ抽出部１１から出力された受信エッジ信号は、ヘッダ検出部１２とスイッチ部１４とに出力される。
【００３３】
図３に示すように、ヘッダ検出部１２に入力された受信エッジ信号（図５（ａ）参照）は、シフトレジスタ部２１に受信エッジ信号がデジタル信号として格納される。相関値算出部２３では、ヘッダ部エッジデータ格納部２２に格納されたエッジデータからの信号（図５（ｃ）参照）とシフトレジスタ部２１に格納された受信エッジ信号とを比較して、その相違の度合いより相関値が計算される。計算された相関値はヘッダ部検出判定部２４へ出力される。
【００３４】
ヘッダ部検出判定部２４では、相関値算出部２３による算出された相関値に基づいて、受信信号のヘッダ部を検出する。この受信信号のヘッダ部を検出する方法について、図６に基づいて説明する。
【００３５】
図６に示すように、ヘッダ部検出判定部２４は、検出基準値Ｔと相関値を比較し（Ｓ１００）、相関値が検出基準値Ｔより大きい場合、検出信号を出力する（Ｓ１１０）。相関値が検出基準値Ｔ以下の場合、検出信号を出力しない（Ｓ１２０）。このようにしてヘッダ検出部１２では受信信号のヘッダ部を検出した旨の信号である検出信号を出力する。
【００３６】
次に、ヘッダ検出部１２から検出信号が入力された時間窓発生器１３は、図７（ｂ）に示すような所望信号のエッジのある時間で「Ｈ」レベル、それ以外の時間で「Ｌ」レベルになる時間窓信号をスイッチ部１４へ出力する。
【００３７】
時間窓信号の開始時間、つまり受信データの開始時間は、ヘッダ検出部１２から出力される検出信号から得る。また所望信号のエッジのある時間は、受信データの開始時間とあらかじめ通信プロトコルにより規定されているシンボル周期から得ることができる。また、時間窓信号の終了時間、つまり受信データの終了時間は、受信データの開始時間とあらかじめ通信プロトコルにより規定されているデータの長さから得ることができる。
【００３８】
図８に示すように、スイッチ部１４では、時間窓発生器１３から出力される時間窓信号を参照し（Ｓ２００）、時間窓信号が‘１’（「Ｈ」レベル）、つまり所望信号のエッジが存在するとき、受信エッジ信号を出力し（Ｓ２１０）、時間窓信号が‘０’（「Ｌ」レベル）、つまり所望信号のエッジが存在しないとき、受信エッジ信号の出力を停止する（Ｓ２２０）。このようにスイッチ部１４は、図７（ａ）に示す受信エッジ信号を、図７（ｂ）に示す時間窓信号が「Ｈ」の期間のみ、選択的に出力することで、図７（ｃ）に示すような干渉信号のエッジ信号を除去した干渉除去信号を出力することができる。
【００３９】
スイッチ部１４から出力された干渉除去信号を入力したＬＰＦ１５は、干渉除去信号に含まれる高周波のノイズ成分を除去することにより、図９（ａ）に示すような信号をエッジ判定部１６へ出力する。
【００４０】
エッジ判定部１６では、ＬＰＦ１５から出力された信号から、所定のレベルを閾値としてエッジであるかどうかを判定して、高い方の閾値を超えると「１」、低い方の閾値を超えると「−１」となるような図９（ｂ）に示すエッジ信号を波形再生部１７へ出力する。
【００４１】
波形再生部１７では、エッジ判定部１６から出力されるエッジ信号から、図９（ｃ）に示すような各エッジのタイミングで位相が反転するような矩形波形データを再生して波形再生部信号として出力する。波形再生は、例えば、エッジ信号が‘１’すなわち立ち上がりエッジがある場合、出力信号をＨに変化させ、エッジ信号が‘−１’すなわち立ち下がりエッジがある場合、出力信号をＬに変化させる、つまりエッジがあるごとに出力信号の位相を反転することで波形再生させる。
【００４２】
ここで、波形再生部１７が行う波形再生処理について図１０に基づいて詳細に説明する。エッジ信号は、通常、異なる位相のエッジ信号が交互に入力される。しかし、図９（ｂ）に示すように、エッジ判定部１６からの出力では、同じ位相のエッジ信号が連続して現れることがある。これは時間窓信号が「Ｈ」つまり所望信号のエッジが存在する時間に干渉信号のエッジがあり、これがエッジ信号として検出されたためである。
【００４３】
そこで、図１０に示すように、波形再生部１７は、連続して同じ位相の信号が入力されるかどうか検出して（Ｓ３００）、検出されたら、誤り検出信号を出力し（Ｓ３１０）、検出されなかったら誤り検出信号を出力しない（Ｓ３２０）。
【００４４】
この誤り検出信号を無線通信装置１の制御部（図１においては図示せず）へ通知することで、制御部によってリトライ処理などが行われる。つまり、誤り検出信号をリトライ処理の契機となる信号とすることで、確実に受信データを受信できるよう、要求することができる。
【００４５】
このように、干渉信号のエッジ信号が所望信号のエッジ周期に存在しない限り、通信停止時間を設けずとも、同一周波数干渉を除去し、所望の受信信号のみを抽出することができる。また、干渉信号のエッジ信号が所望信号のエッジ周期に存在する場合、誤り検出信号を出力し、再送処理などを促すことができる。
【００４６】
（実施の形態２）
次に、本発明の実施の形態２係る無線通信装置について図面に基づいて説明する。図１１は、本発明の実施の形態２における無線通信装置の受信部の構成を示す機能ブロック図である。図１１においては、図２と同じ構成のものは同符号を付して説明を省略する。実施の形態２に係る無線通信装置は、受信部７内に擬似雑音発生器１８を設け、ノイズ除去の精度を更に向上させたものである。
【００４７】
図１１に示すように、受信部７には擬似雑音発生器１８が、スイッチ部１４に接続するように設けられている。この擬似雑音発生器１８は、最大値が受信信号のノイズの最大振幅値と同程度である乱数を擬似雑音信号として出力する機能を備えており、スイッチ部１４により、信号窓信号が「Ｌ」のときの信号期間において、この擬似雑音信号が干渉除去信号として出力される。乱数は、予め用意した乱数を繰り返したり、数学的に乱数を算出したりして発生させることができるが、他の方法でも乱数に近似していれば使用することができる。
【００４８】
次に、本実施の形態２に係る無線通信装置の受信処理について、図１２に基づいて説明する。図１２は、スイッチ部１４の処理の流れを示すフローチャートである。
【００４９】
図１２に示すように、スイッチ部１４は、時間窓信号を参照し（Ｓ４００）、時間窓信号が‘１’（「Ｈ」レベル）、つまり所望信号のエッジが存在するとき、受信エッジ信号を出力し、擬似雑音信号の出力を停止する（Ｓ４１０）。時間窓信号が‘０’（「Ｌ」レベル）、つまり所望信号のエッジが存在しないとき、受信エッジ信号の出力を停止し、擬似雑音信号を出力する（Ｓ４２０）。これにより図１３に示すような、受信エッジ信号から干渉信号のエッジ信号を除去した干渉除去信号を出力する。
【００５０】
図１３に示す干渉除去信号は、実施の形態１に係る無線通信装置のスイッチ部１４から出力される干渉除去信号（図７（ｃ）参照）と比較して、疑似雑音信号が付加されていることがわかる。これは、干渉除去信号において、実施の形態１では、スイッチ部１４により受信エッジ信号の出力を停止した箇所の包絡線の変動が大きいため、低周波成分をもち、所望の受信信号の周波数帯域と重なり、ＬＰＦ１５で十分にノイズ除去ができない場合がある。しかし、本実施の形態２では、スイッチ部１４にて受信エッジ信号の出力を停止する際に、代わりに擬似雑音信号を出力することにより、干渉除去信号の包絡線が滑らかになり、ＬＰＦ１５で十分なノイズ除去ができる。
【００５１】
このように、干渉信号のエッジ信号が所望信号のエッジ周期に存在しない限り、通信停止時間を設けずとも、十分なノイズ除去を行い、同一周波数干渉を除去し、所望の受信信号のみを抽出することができる。また、干渉信号のエッジ信号が所望信号のエッジ周期に存在する場合、誤り検出信号を出力し、再送処理などを促すことができる。
【産業上の利用可能性】
【００５２】
本発明は、無線通信機器の無線通信における受信技術に関し、受信における周波数干渉を防止するために、無線通信装置および受信ノイズ除去方法に好適である。
【図面の簡単な説明】
【００５３】
【図１】本発明の実施の形態１に係る無線通信装置全体の構成を示す機能ブロック図
【図２】実施の形態１の無線通信装置の受信部の構成を示す機能ブロック図
【図３】本発明の実施の形態１に係る無線通信装置のヘッダ検出部の構成を示す機能ブロック図
【図４】（ａ）所望とする受信信号の波形を示す図、（ｂ）干渉信号の波形を示す図、（ｃ）ノイズ信号の波形を示す図、（ｄ）受信信号の波形を示す図
【図５】（ａ）受信エッジ信号の波形を示す図、（ｂ）所望の受信信号ヘッダ部のエッジデータの波形を示す図、（ｃ）所望の受信信号ヘッダ部データの波形を示す図
【図６】ヘッダ検出判定部の動作を説明するフローチャート
【図７】（ａ）受信エッジ信号の波形を示す図、（ｂ）時間窓発生器が発生する時間窓信号を示す図、（ｃ）干渉除去信号波形を示す図
【図８】スイッチ部の動作を説明するフローチャート
【図９】（ａ）ＬＰＦ出力信号の波形を示す図、（ｂ）エッジ判定部出力信号の波形を示す図、（ｃ）波形再生部出力信号の波形を示す図、（ｄ）エッジ判定部誤り検出信号の波形を示す図
【図１０】波形再生部の波形再生処理の流れを示すフローチャート
【図１１】本発明の実施の形態２における無線通信装置の受信部の構成を示す機能ブロック図
【図１２】スイッチ部の処理の流れを示すフローチャート
【図１３】干渉除去信号の波形を示す図
【符号の説明】
【００５４】
１    無線通信装置
２    送信部
３    パスバンド変調器
４    送信アンテナ
５    受信アンテナ
６    パスバンド復調器
７    受信部
１１    受信エッジ抽出部
１２    ヘッダ検出部
１３    時間窓発生器
１４    スイッチ部
１５    ＬＰＦ
１６    エッジ判定部
１７    波形再生部
１８    擬似雑音発生器
２１    シフトレジスタ部
２２    ヘッダ部エッジデータ格納部
２３    相関値算出部
２４    ヘッダ部検出判定部
【図１】
2008042727.tif 000003
【図２】
2008042727.tif 000004
【図３】
2008042727.tif 000005
【図４】
2008042727.tif 000006
【図５】
2008042727.tif 000007
【図６】
2008042727.tif 000008
【図７】
2008042727.tif 000009
【図８】
2008042727.tif 000010
【図９】
2008042727.tif 000011
【図１０】
2008042727.tif 000012
【図１１】
2008042727.tif 000013
【図１２】
2008042727.tif 000014
【図１３】
2008042727.tif 000015